(57)【特許請求の範囲】
【請求項１】
躯体に固定され外枠を下方に支持する基枠部と、
灯具を収容した内枠を有し該内枠が前記基枠部に支持され内枠下部開口が前記外枠の内方に位置する器具本体と、
前記内枠の外周に天井と平行な第一軸で回転自在に固定され該内枠と前記外枠の間隙から下方外部に対して進退自在なブラケットと、
前記ブラケットに支持され前記間隙の外で壁面を照射する小型ライトと、を具備し、
前記小型ライトが、前記第一軸と同方向の第二軸で前記ブラケットに回転自在に支持される照明器具。
【請求項２】
請求項１に記載の照明器具において、
前記間隙に面する前記外枠の内面に反射部が設けられた照明器具。
【請求項３】
請求項１または請求項２に記載の照明器具において、
前記ブラケットを任意の回転角度で固定するストッパーが該ブラケットと前記内枠とに亘って設けられた照明器具。
【請求項４】
請求項１ないし請求項３うちのいずれか１項に記載の照明器具において、
前記器具本体を昇降自在に支持する昇降装置が前記基枠部に設けられた照明器具。
【発明の詳細な説明】
【技術分野】
【０００１】
本発明は、壁面および床面への照明光の照射が可能な照明器具に関するものである。
【背景技術】
【０００２】
壁面を照明光にて照射する場合、照射方向可変型のダウンライトが使用されることがある。また、ダウンライトには、光源位置の高さ変更や、灯具のメンテナンス等を行うため、灯具を昇降させることが可能なものがある（例えば特許文献１参照）。この種のダウンライトとして照射方向が可変で、かつ、灯具の昇降が可能な例えば図５に示す照明器具１００について説明する。この照明器具１００は、灯具１０１を収納する器具本体１０２と、器具本体１０２を昇降する昇降装置１０３と、昇降装置１０３を建物躯体に支持する固定部１０４と、を備える。器具本体１０２は、灯具１０１を収容する内枠１０５を有する。内枠１０５の上部には、灯具１０１に電力を供給する安定器１０６が設けられる。器具本体１０２の下方には外枠１０７が吊持固定され、外枠１０７は天井１０８に形成された取付孔１０９の縁部を覆う鍔部１１０を有している。
【０００３】
図６に示すように、この照明器具１００では、昇降装置１０３が下降動作されてワイヤー１１１が繰り出されると、灯具１０１を内枠１０５に収容した器具本体１０２が下降される。また、昇降装置１０３が上昇動作されてワイヤー１１１が図５に示す巻取ドラム１１２に巻き取られると、器具本体１０２が上昇し、器具本体１０２の上部に設けられた接点部１１３が昇降装置１０３に接触して巻取ドラム１１２の巻取動作が停止される。
なお、ここでは、天井内に埋め込まれる照明器具１００を例示したが、この種のダウンライトには、天井面に露出して天井１０８に直付けされるものもある。
【先行技術文献】
【特許文献】
【０００４】
【特許文献１】特開２０１０−３４５２号公報（請求項１、図１）
【発明の概要】
【発明が解決しようとする課題】
【０００５】
しかしながら、上記の照明器具１００は、図７に示すように、灯具１０１の照射方向を可変して壁面１１４を照射すると、壁面上部１１５が内枠１０５によって遮光される（蹴られる）ため、暗くなってしまう。これに対し、天井１０８よりも下に灯具１０１を設け、壁面１１４を照射すれば壁面上部１１５の照度を上げることはできるが、天井１０８よりも下に灯具１０１が出て見栄えが悪くなる。また、照射方向を可変させれば、壁面１１４の照度は上がるものの、下方向となる床面の照度は低下してしまう。一方、壁面用の灯具１０１を増設すれば大きなスペースが必要となる。これに加え、内枠１０５と外枠１０７との間には溝状の間隙１１６が形成され、その間隙１１６が暗くなることから、天井面全体が暗くなる問題もあった。
【０００６】
本発明は上記状況に鑑みてなされたもので、その目的は、小さいスペースで、壁面上部の照射が可能で、下方向の照度低下がなく、しかも、天井面も明るくできる照明器具を提供することにある。
【課題を解決するための手段】
【０００７】
本発明の照明器具は、躯体に固定され外枠を下方に支持する基枠部と、灯具を収容した内枠を有し該内枠が前記基枠部に支持され内枠下部開口が前記外枠の内方に位置する器具本体と、前記内枠の外周に天井と平行な第一軸で回転自在に固定され該内枠と前記外枠の間隙から下方外部に対して進退自在なブラケットと、前記ブラケットに支持され前記間隙の外で壁面を照射する小型ライトと、を具備し、前記小型ライトが、前記第一軸と同方向の第二軸で前記ブラケットに回転自在に支持されるものである。
【０００９】
また、本発明の照明器具は、前記間隙に面する前記外枠の内面に反射部が設けられたものである。
【００１０】
さらに、本発明の照明器具は、前記ブラケットを任意の回転角度で固定するストッパーが該ブラケットと前記内枠とに亘って設けられたものである。
【００１１】
また、本発明の照明器具は、前記器具本体を昇降自在に支持する昇降装置が前記基枠部に設けられたものである。
【発明の効果】
【００１２】
本発明に係る照明器具によれば、小さいスペースで、壁面上部の照射が可能で、下方向の照度低下がなく、しかも、天井面も明るくできる。
【図面の簡単な説明】
【００１３】
【図１】本発明に係る照明器具の一部分を切り欠いた側面図
【図２】（Ａ）は本発明に係る照明器具の小型ライト近傍の要部平面図であり、（Ｂ）は（Ａ）の側面図であり、（Ｃ）は照明器具全体の下面図
【図３】小型ライト近傍の要部拡大図
【図４】（Ａ）は間隙に収容された場合の小型ライトの側面図であり、（Ｂ）は下方照明として利用された場合の小型ライトの側面図であり、（Ｃ）は壁面照明として利用された場合の側面図
【図５】（Ａ）は従来の照明器具の一部分を切り欠いた側面図であり、（Ｂ）は（Ａ）に示した照明器具の下面図
【図６】灯具が下降された場合の図５の照明器具の側面図
【図７】図５に示した照明器具による壁面照射状況を表した説明図
【発明を実施するための形態】
【００１４】
以下、本発明の照明器具の実施形態について、図面を用いて説明する。
図１は本発明に係る照明器具の一部分を切り欠いた側面図である。
照明器具１０は、基枠部１１と、外枠１２と、器具本体１３と、灯具１４と、昇降装置１５と、ブラケット１６と、小型ライト１７と、を具備する。基枠部１１は、鋼材等によって矩形状に形成される。基枠部１１の四隅にはスタッドボルト１８の下端側がナット１９で固定され、スタッドボルト１８の上端側は不図示の躯体に固定される。基枠部１１は、一対の平行な短辺部と長辺部とからなり、それぞれの長辺部に一対の短冊状の支持板２０が垂設される。支持板２０は、下端に外枠１２を固定している。
【００１５】
外枠１２は、裾拡がりとなった四角枠状に形成され、天井２１に形成された取付孔２２の縁部を覆う鍔部２３を有している。裾拡がりとなった外枠１２は、対向する内面がテーパー状となり、この内面が、後述する昇降装置１５によって上昇された器具本体１３を外枠内方へ収容する際の案内面ともなる。
【００１６】
器具本体１３は、矩形箱状の内枠２４を有する。内枠２４は、下部が内枠下部開口２５となる。器具本体１３は、この内枠下部開口２５が外枠１２の内方に位置する。内枠２４は、長手方向に複数の灯具１４を収容している。本実施形態では、二つの灯具１４を収容するが（図２（Ｃ）参照）、照明器具１０は、一つ、あるいはそれ以上の灯具１４を器具本体１３に収容するよう構成されても勿論よい。内枠２４の上部には、灯具１４に電力を供給する安定器２６が設けられている。
【００１７】
灯具１４は、リフレクター２７の内方に不図示の光源を備える。光源としては、アーク放電による光放射を利用する水銀灯等を用いることができる。内枠２４に収容される灯具１４は、水平軸中心に回転自在となって内枠２４に支持され、照射方向が可変される（図１中の二点鎖線の灯具参照）。後述するように、灯具１４は、器具本体１３と共に昇降装置１５によって基枠部１１に対して昇降される。
【００１８】
基枠部１１には、器具本体１３を昇降自在に支持する昇降装置１５が設けられる。昇降装置１５は、ワイヤー等の不図示の吊材を使用して器具本体１３の昇降を可能としている。図示は省略するが、昇降装置１５は、吊材を巻き取るために吊材の一端が接続される巻取ドラムと、巻取ドラムを回転させるためのモーターと、モーターの回転を減速して巻取ドラムに伝達する減速歯車とを含む。巻取ドラムに各一端が接続された複数の吊材は、滑車を介して鉛直下方に器具本体１３に向かって延出する。また、内枠２４の各側面にはガイドローラ２８が回転自在に支持され、ガイドローラ２８は外枠１２の内面に接して回転されることで、器具本体１３を外枠１２の所定位置に収容する。
【００１９】
図２（Ａ）は本発明に係る照明器具１０の小型ライト近傍の要部平面図であり、（Ｂ）は（Ａ）の側面図であり、（Ｃ）は照明器具全体の下面図、図３は小型ライト近傍の要部拡大図である。
器具本体１３の内枠２４の外周には凹部２９が形成され、凹部２９には長尺のブラケット１６が取り付けられている。ブラケット１６は、図２（Ｃ）に示すように、内枠２４の平行な短辺部と長辺部とのそれぞれに沿って設けられている。図３に示すように、ブラケット１６は、長手方向に直交する方向の断面形状が、水平板３０と垂直板３１とによってＬ字状となる。
【００２０】
ブラケット１６は、天井２１と平行な第一軸３２で回転自在に凹部２９に固定され、内枠２４と外枠１２の間隙３３から下方外部３４に対して進退自在となる。この第一軸３２としては、例えばヒンジ３５を使用することができる。
【００２１】
垂直板３１の上部には水平板３０と平行にアーム板３６が突出され、アーム板３６は図２（Ａ）に示す小型ライト基台３７の基台両側部３８を、第一軸３２と同方向の第二軸３９によって支持する。小型ライト基台３７は、ヒンジ３５で回動するブラケット１６に支持されることで、小型ライト基台３７に設けられた小型ライトユニット４０を間隙３３の外へ移動し、壁面を照射可能としている。
【００２２】
図２（Ｂ）に示すように、小型ライトユニット４０には、複数の小型ライト１７がブラケット１６の長手方向に沿って並設される。小型ライト１７は、内枠２４の上部から安定器２６と共に配線される小型ライト用電線４１により電力が供給される。本実施形態では、小型ライト１７の光源としてＬＥＤ４２が設けられている。この他、小型ライト１７の光源としてはフィラメントによる電球が用いられてもよい。
【００２３】
小型ライト１７は、第二軸３９を介してブラケット１６に回転自在に支持されるので、間隙３３から下方外部３４へ移動された際、第二軸３９を中心に回転されることで、照射方向が壁面の上下方向に可変となる。
【００２４】
外枠１２は、間隙３３に面する内面に、反射部４３が設けられている。間隙３３に収容された小型ライト１７が点灯されると、小型ライト１７からの照射光が反射部４３によって反射され、内枠２４の外面にも反射光が照射される。これにより、間隙３３が明るくなり、従来、暗い溝４４となっていた間隙３３が明るくなり、天井全体が明るくなる。
【００２５】
小型ライト１７は、ブラケット１６と内枠２４とに亘って設けられたストッパー４５によって、任意の回転角度で固定される。ストッパー４５は、四分円の弧状に形成されて内枠２４から突出される曲板４６と、この曲板４６に形成される曲溝４７と、曲溝４７に挿入されてアーム板３６に螺合する固定ビス４８と、からなる。ブラケット１６は、第一軸３２を中心に回転すると、間隙３３から下方外部３４に対して進退される。この際、曲板４６は、曲溝４７が固定ビス４８に対して移動する。従って、曲溝４７の任意の位置で固定ビス４８を締めれば、曲板４６は、アーム板３６に固定される。すなわち、小型ライト１７は、ストッパー４５によって、間隙３３からの進退量が任意に設定可能となっている。
【００２６】
次に、上記構成を有する照明器具１０の作用を説明する。
図４（Ａ）は間隙３３に収容された場合の小型ライト１７の側面図であり、（Ｂ）は下方照明として利用された場合の小型ライト１７の側面図であり、（Ｃ）は壁面照明として利用された場合の側面図である。
図４（Ａ）に示すように、照明器具１０では、小型ライト１７が、ブラケット１６を介して内枠２４に固定され、間隙３３に収容されている。すなわち、新たな設置スペースが不要となり、小さいスペースでの小型ライト１７の増設が可能となっている。
【００２７】
図４（Ａ）に示した状態から、図４（Ｂ）に示すようにブラケット１６が第一軸３２を中心に回転されると、小型ライト１７が下方外部３４へ向けられ、小型ライト１７が斜め下方に照射方向が変更される。これにより、小型ライト１７は、下方照明補助光として利用が可能となる。
【００２８】
図４（Ｂ）に示した状態から、ブラケット１６が第一軸３２を中心にさらに回転されると、小型ライト１７のほぼ全体が間隙３３から下方外部３４へと移動される。この状態で、アーム板３６に対し第二軸３９を介して小型ライト１７がさらに回転されると、壁面上部への照射が可能となる。
なお、この際にも灯具１４は同時に下方向への照射が可能となるので、床面の照度が低下することはない。
【００２９】
また、図４（Ａ）に示した間隙３３に収容されたままの状態で小型ライト１７が点灯されれば、小型ライト１７からの照射光が反射部４３にて反射される。反射された反射光は、内枠２４を照射するので、間隙３３が明るくなり、暗い溝４４（間隙３３）がなくなる。
【００３０】
このように、照明器具１０では、小型ライト１７を追加することにより、小さなスペースにて、下方向の照度低下をなくし、壁面上部にも照射が可能となる。また、従来、暗かった溝部分が、小型ライト１７による間接照明効果で明るくなり、天井面全体が明るくなる。
【００３１】
また、基枠部１１に設けられた昇降装置１５が下降動作され、例えばワイヤー等の吊材が繰り出されると、器具本体１３が下降される。これにより、コンサートホールや体育館、コンベンションホール等の比較的天井の高い大きな構造物において、床面近くに下降させた状態での器具本体１３や灯具１４、小型ライトユニット４０のメンテナンスを行うことが可能となる。
【００３２】
従って、本実施形態に係る照明器具１０によれば、小さいスペースで、壁面上部の照射が可能で、下方向の照度低下がなく、しかも、天井面も明るくできる。
【符号の説明】
【００３３】
１０  照明器具
１１  基枠部
１２  外枠
１３  器具本体
１４  灯具
１５  昇降装置
１６  ブラケット
１７  小型ライト
２１  天井
２４  内枠
２５  内枠下部開口
３２  第一軸
３３  間隙
３４  下方外部
３９  第二軸
４３  反射部
４５  ストッパー
【図１】
0005642563.tif 000002
【図２】
0005642563.tif 000003
【図３】
0005642563.tif 000004
【図４】
0005642563.tif 000005
【図５】
0005642563.tif 000006
【図６】
0005642563.tif 000007
【図７】
0005642563.tif 000008